(57)【要約】      （修正有）【課題】ネクタイやベルト等の長尺服飾品を滑脱させることなく確実に保持することができる一方で、該長尺服飾品を簡単に取り外すことのできる長尺服飾品用ハンガーを提供する。【解決手段】横方向に伸長して上下方向で並列に配設された少なくとも二つの紐状部１０と、紐状部１０間に挿通された長尺服飾品の長手方向と直交する方向の両端が接触可能に前記横方向に所定間隔をおいて配設され、各紐状部１０によって連結された一対の保持部２０とを備えていることを特徴とする。【選択図】図１
2008099821.tif 000002
【特許請求の範囲】
【請求項１】
横方向に伸長して上下方向で並列に配設された少なくとも二つの紐状部と、紐状部間に挿通された長尺服飾品の長手方向と直交する方向の両端が接触可能に前記横方向に所定間隔をおいて配設され、各紐状部によって連結された一対の保持部とを備えていることを特徴とする長尺服飾品用ハンガー。
【請求項２】
前記紐状部は、上下方向で隣り合う紐状部同士が互いに近接するように設けられている請求項１記載の長尺服飾品用ハンガー。
【請求項３】
前記紐状部は、伸長方向に伸縮可能に構成されている請求項１又は２記載の長尺服飾品用ハンガー。
【請求項４】
前記一対の保持部は、上下方向に伸長して形成されるとともに、前記紐状部が保持部の長手方向に複数設けられている請求項１乃至３の何れか１項に記載の長尺服飾品用ハンガー。
【請求項５】
一対の保持部のそれぞれは、非伸縮性の紐材で構成され、各紐状部の端部を編み込むことで紐状部が連結されている請求項１乃至４の何れか１項に記載の長尺服飾品用ハンガー。
【発明の詳細な説明】
【技術分野】
【０００１】
本発明は、ネクタイやベルト等の長尺服飾品を掛けるための長尺服飾品用ハンガーに関する。
【背景技術】
【０００２】
従来から、ネクタイやベルト等の長尺な服飾品（長尺服飾品）を掛けるための専用のハンガー（長尺服飾品用ハンガー）として、種々のものが提供されており、例えば、図５に示す如く、長尺服飾品（主としてネクタイ）Ｎを挿通して吊り下げる（掛ける）吊下げ溝１０２が横長に形成された吊下げ具１０３をポール等に掛止可能なハンガー本体部１０１に取り付けたものや（例えば、特許文献１参照）、図６に示す如く、長尺服飾品（ネクタイ）Ｎを二つ折りにして掛けるための横長な棒状部１１２をハンガー本体部１１１に取り付けたもの（例えば、特許文献２参照）等が提供されている。
【特許文献１】登録実用新案第３０００１５１号公報
【特許文献２】登録実用新案第３０５４７３１号公報
【発明の開示】
【発明が解決しようとする課題】
【０００３】
しかしながら、特許文献１所載のハンガー（図５に示すハンガー１００）は、吊下げ溝１０２を画定する下側の端縁に長尺服飾品Ｎを掛けるようにしただけで、長尺服飾品Ｎをバランスよく掛けなければ滑り落ちる（例えば、ネクタイの場合には幅広になった先端側から滑り落ち、ベルトの場合にはバックル側から滑り落ちる）ことがしばしばある。そこで、この種のハンガー１００には、吊下げ溝１０２を画定する上側の端縁で、下側の端縁に掛けた長尺服飾品Ｎを押さえて脱落を防止するようにしたものもあるが、かかるハンガー１００は、長尺服飾品Ｎの着脱の繰り返しや、長尺服飾品Ｎの重さ等の作用で吊下げ具１０３が変形してしまう結果、長尺服飾品Ｎを押さえることができなくなり、長尺服飾品Ｎの脱落を確実に防止できないといった問題がある。
【０００４】
他方、特許文献２所載のハンガー（図６に示すハンガー１１０）は、長尺服飾品Ｎを掛けるための棒状部１１２を専用に設けて該長尺服飾品Ｎを掛けやすくしただけのもので、長尺服飾品Ｎをバランスよく掛けなければ滑り落ちる（例えば、ネクタイの場合には幅広になった先端側から滑り落ちる）ことがしばしばある。
【０００５】
そこで、本発明は、斯かる実情に鑑み、ネクタイやベルト等の長尺服飾品を滑脱させることなく確実に保持することができる一方で、該長尺服飾品を簡単に取り外すことのできる長尺服飾品用ハンガーを提供することを課題とする。
【課題を解決するための手段】
【０００６】
本発明に係る長尺服飾品用ハンガーは、横方向に伸長して上下方向で並列に配設された少なくとも二つの紐状部と、紐状部間に挿通された長尺服飾品の長手方向と直交する方向の両端が接触可能に前記横方向に所定間隔をおいて配設され、各紐状部によって連結された一対の保持部とを備えていることを特徴とする。なお、ここで「長尺服飾品」とは、一方向に長尺に形成されたネクタイやベルト等を意味する。
【０００７】
上記構成の長尺服飾品用ハンガーによれば、紐状部によって連結された一対の保持部が、紐状部間に挿通された長尺服飾品の長手方向と直交する方向の両端が接触可能に所定間隔をおいて配設されているので、二つの紐状部間に長尺服飾品を長手方向に挿入して下方側の紐状部に掛けると、該長尺服飾品は、一対の保持部に長手方向と直交する方向の両端（二カ所）が接触して挟まれた状態となる。これにより、長尺服飾品の長手方向（滑り落ちる方向）への移動に対する抵抗が大きくなる結果、長尺服飾品の脱落を防止することができる。その一方で、紐状部及び保持部による接触抵抗を上回るように長尺服飾品を長手方向に引っ張ることで、長尺服飾品を該長尺服飾品用ハンガーから取り外すことができる。
【０００８】
本発明の一態様として、前記紐状部は、上下方向で隣り合う紐状部同士が互いに近接するように設けられていることが好ましい。このようにすれば、紐状部間に挿通した長尺服飾品を二つの紐状部によって上下から挟み込んだ状態にすることができる。これにより、長尺服飾品との接触抵抗をより大きくすることができ、長尺服飾品の脱落をより確実に防止することができる。
【０００９】
そして、前記紐状部は、伸長方向に伸縮可能に構成されていることが好ましい。このようにすれば、長尺服飾品を二つの紐状部間に挿入し、一対の保持部に該長尺服飾品の両端が接触したときに、紐状部を伸長させようとする力（一対の保持部を離間させようとする力）が作用する。そうすると、紐状部に復元力が作用する（収縮して自然長に戻ろうとする）結果、一対の保持部が積極的に長尺服飾品の両端に接触することになり、長尺服飾品の脱落をより確実に防止することができる。
【００１０】
本発明の他態様として、前記一対の保持部は、上下方向に伸長して形成されるとともに、前記紐状部が保持部の長手方向に複数設けられていることが好ましい。このようにすれば、複数の長尺服飾品を上下方向に並べて保持することができる。
【００１１】
そして、本発明の別の態様として、一対の保持部のそれぞれは、非伸縮性の紐材で構成され、各紐状部の端部を編み込むことで紐状部が連結されていることが好ましい。このようにすれば、簡易な構成でありながら、長尺服飾品を確実に保持しつつも取り外しが容易な構成にすることができる。また、製造効率やコストの観点においても従来に比して非常に有利である。
【発明の効果】
【００１２】
以上のように、本発明に係る長尺服飾品用ハンガーによれば、ネクタイやベルト等の長尺服飾品を滑脱させることなく確実に保持することができる一方で、該長尺服飾品を簡単に取り外すことができるという優れた効果を奏し得る。
【発明を実施するための最良の形態】
【００１３】
以下、本発明の長尺服飾品用ハンガーに係る第一実施形態について、添付図面を参照しつつ説明する。
【００１４】
本実施形態に係る長尺服飾品用ハンガーは、ネクタイやベルト等の長尺服飾品を掛けるためのもので、図１に示す如く、横方向に伸長して上下方向で並列に配設された少なくとも二つの紐状部１０…と、紐状部１０…間に挿通された長尺服飾品の長手方向と直交する方向の両端が接触可能に前記横方向に所定間隔をおいて配設され、各紐状部１０…によって連結された一対の保持部２０，２０とを備えている。
【００１５】
前記紐状部１０…は、上下方向で隣り合う二つの紐状部１０，１０が互いに近接するように設けられている。本実施形態に係る長尺服飾品用ハンガー１は、紐状部１０…が上下方向に複数に設けられており、上方側から下方側に向けて並列に配設された各紐状部１０…が隣り合う紐状部１０に対して近接するように設けられている。すなわち、上方側の紐状部１０に対して下方側で隣り合う紐状部１０が近接し、該紐状部１０に対してさらに下方側で隣り合う紐状部１０が近接するように、複数の紐状部１０…が配設されている。
【００１６】
各紐状部１０…は、伸長方向に伸縮可能に構成されており、紐状部１０…が自然長の状態（伸長方向に引っ張られていない状態）で、紐状部１０…によって連結された一対の保持部２０，２０が前記所定間隔になるように構成されている。本実施形態に係る複数の紐状部１０…は、伸長方向に伸縮可能なゴム紐（丸紐）で構成されており、長尺なゴム紐を所定長さ毎に複数箇所で折り返すことで形成されている。
【００１７】
一対の保持部２０，２０のそれぞれは、紐状部１０を上下に複数配設すべく、上下方向に伸長して形成されている。本実施形態に係る保持部２０，２０は、それぞれ非伸縮性の紐材で構成されており、一対の保持部２０，２０（各紐材）のそれぞれと各紐状部１０…の端部とを編み込むことで各紐状部１０…と保持部２０とを連結するようにしている。
【００１８】
本実施形態においては、上述の如く、複数の紐状部１０…が長尺なゴム紐を複数箇所で折り返すことで形成されているため、保持部２０，２０を構成する紐材は、ゴム紐の折り返し部分を紐状部１０…の並列方向に編み込まれている。そして、このように編み込まれた紐材、すなわち、一対の保持部２０，２０は、上述の如く、ゴム紐が自然長（引っ張り力のかかっていない状態の長さ）の状態で、紐状部１０の伸長方向（横方向）で紐状部１０…間に挿通された長尺服飾品の長手方向と直交する方向（短手方向）の両端が接触可能な所定間隔、すなわち、長尺服飾品の長手方向と直交する方向の幅寸法以下の間隔をあけるようになっている。この一対の保持部２０，２０の間隔は、狭くしすぎると、長尺服飾品を挿入しにくくなるので、対象となる長尺服飾品の短手方向の幅寸法の８０％〜１００％（好ましくは、８５％〜９５％）の間隔に設定される。
【００１９】
具体的には、かかる長尺服飾品がネクタイである場合には、一対の保持部２０，２０の間隔は、ネクタイの長手方向の一端から他端までの何れかの部分における幅寸法を基準に設定すればよいが、通常ネクタイをハンガーに掛ける場合、収容スペース等の関係から二つ折りにされることが多いことを鑑み、ネクタイの長手方向の略中央部近傍の幅寸法の８０％〜１００％（好ましくは、８５％〜９５％）の間隔に設定される。そして、長尺服飾品がベルトである場合、一対の保持部２０，２０の間隔は、そのベルトの長手方向と直交する方向の幅寸法の８０％〜１００％（好ましくは、８５％〜９５％）の間隔に設定される。そして、ネクタイ及びベルトの何れをも掛けることができるようにするには、ネクタイ又はベルトの何れか狭い方の幅を基準に設定される。
【００２０】
本実施形態においては、図２（ａ）に示す如く、二つ折りにしたネクタイＮを掛けることのみを対象とし、一対の保持部２０，２０の間隔は、ネクタイＮの長手方向の略中央部の幅寸法を基準にして設定されている。なお、ネクタイＮには、デザイン等の関係で幅や長さが異なるものが多数存在するため、ここでは平均的なネクタイＮを基準にして一対の保持部２０，２０の間隔を設定している。
【００２１】
これにより、上下で近接する何れか二つの紐状部１０…間に二つ折りにしたネクタイＮの折り返し部分を挿入すると、ネクタイＮの挿入した部分における短手方向の両端が一対の保持部２０，２０に接触するようになっている。本実施形態においては、一対の保持部２０，２０の間隔をネクタイＮの短手方向の幅よりも狭い間隔（ネクタイＮの幅の８５％〜９５％）に設定しており、ネクタイＮの両端が一対の保持部２０，２０に対して接触することで、一対の保持部２０，２０に押し広げ作用を生じさせるようにしている。
【００２２】
本実施形態に係る長尺服飾品用ハンガー１は、保持部２０，２０の長手方向の一端側の端部にクリップＣが取り付けられており、他端部においては、ゴム紐と紐材との編み込みが解れるのを防止するための金具Ｓが取り付けられている。これにより、本実施形態に係る長尺服飾品用ハンガー１は、長手方向の一端側を衣類用のハンガーや別途設置されたポールＰ等に巻き掛けた上で、クリップＣを対向する紐状部１０…に挟みこむことで、ポールＰ等から垂下させた状態で取り付けることができるようになっている。
【００２３】
次に、以上の構成からなる長尺服飾品用ハンガー１の作用について説明する。上記構成の長尺服飾品用ハンガー１は、一対の保持部２０，２０の間隔がネクタイＮの幅寸法よりも狭く設定されているので、幅方向の寸法が保持部２０，２０の間隔よりも狭くなるように、ネクタイＮの二つ折りにした折り返し部分を変形させた上で紐状部１０…間にネクタイＮを挿入する。
【００２４】
そうすると、図２（ｂ）に示す如く、ネクタイＮの両端が一対の保持部２０，２０に接触して該保持部２０，２０に挟み込まれた状態になる。本実施形態において、一対の保持部２０，２０の間隔がネクタイＮの幅寸法よりも狭く設定されているので、ネクタイＮの両端が一対の保持部２０，２０に接触すると、その保持部２０，２０に対して押し広げ作用が生じる結果、保持部２０，２０を連結する紐状部１０…に引っ張り作用が生じる。そうすると、紐状部１０…が自然長に戻ろうとする収縮力により、一対の保持部２０，２０がネクタイＮの側端に積極的に接触することになる。
【００２５】
また、これに併せて、図２（ｃ）に示す如く、紐状部１０…が真っ直ぐ延びた状態になり、紐状部１０…間に挿入したネクタイＮがその紐状部１０…（上下で隣り合う紐状部１０…）に挟まれた態様となる。
【００２６】
これにより、紐状部１０…間に挿入されたネクタイＮは、紐状部１０…、及び保持部２０，２０が密接した状態で包囲される結果、ネクタイＮの長手方向への移動に対する抵抗が非常に大きくなり、ネクタイＮは滑脱することなく保持されることになる。
【００２７】
そして、上述した抵抗に勝る引っ張り力を作用させるように、ネクタイＮを長手方向に引っ張ると、ネクタイＮが紐状部１０…及び保持部２０，２０に接触しつつ移動することになり、該ネクタイＮを取り外すことができる。
【００２８】
以上のように、本実施形態に係る長尺服飾品用ハンガー１によれば、紐状部１０…によって連結された一対の保持部２０，２０が、紐状部１０…間に挿通されたネクタイ（長尺服飾品）Ｎの長手方向と直交する方向の両端が接触可能に前記横方向に所定間隔をおいて配設されているので、二つの紐状部１０…間に挿入したネクタイＮを一対の保持部２０，２０で挟み込んで抵抗を大きくすることができる。これにより、ネクタイＮの脱落を防止した上で該ネクタイＮを確実に保持することができる。その一方で、紐状部１０…及び保持部２０，２０による接触抵抗を上回るようにネクタイＮを長手方向に引っ張ることで、そのネクタイＮを該長尺服飾品用ハンガー１から容易に取り外すことができる。
【００２９】
また、上下方向で隣り合う紐状部１０，１０同士が互いに近接するように各紐状部１０…を配設するようにしたので、ネクタイＮを紐状部１０，１０で挟み込んだ態様にして接触抵抗をより大きくすることができ、該ネクタイＮの脱落をより確実に防止することができる。
【００３０】
そして、前記紐状部１０…をゴム紐で構成して伸長方向に伸縮可能としたので、一対の保持部２０，２０を積極的にネクタイＮの両端に接触させることができ、ネクタイＮの脱落をより確実に防止することができる。
【００３１】
さらに、前記一対の保持部２０，２０を上下方向に伸長させるように形成し、紐状部１０…を保持部２０，２０の長手方向に複数設けるようにしたので、複数のネクタイＮを上下方向に並べて保持することができる。
【００３２】
そして、一対の保持部２０，２０のそれぞれを非伸縮性の紐材で構成し、各紐状部１０，１０の端部を編み込むことで紐状部１０を連結するようにしたので、構成が簡易であり、製造効率やコストの観点においても従来に比して非常に有利である。
【００３３】
次に、本発明の第二実施形態に係る長尺服飾品用ハンガーについて説明する。なお、本実施形態に係る長尺服飾品用ハンガーの基本的な構成が第一実施形態と同様であるので、第一実施形態に係る構成と同様又は対応する構成については、同一名称及び同一符号を付すこととする。
【００３４】
本実施形態に係る長尺服飾品用ハンガー１は、第一実施形態と同様に、ネクタイやベルト等の長尺服飾品を掛けるためのもので、図３に示す如く、横方向に伸長して上下方向で並列に配設された少なくとも二つの紐状部１０…と、紐状部１０…間に挿通された長尺服飾品の長手方向と直交する方向の両端が接触可能に前記横方向に所定間隔をおいて配設され、各紐状部１０…によって連結された一対の保持部２０，２０とを備えている。
【００３５】
前記紐状部１０…は、非伸縮性の紐材で構成されている。本実施形態に係る長尺服飾品用ハンガー１は、所定数（図においては四つ）の紐状部１０…が群をなし、その群が上下方向に間隔をおいて複数設けられている。各群を構成する紐状部１０…は、上下方向で隣り合う紐状部１０同士が互いに近接するように配設されている。なお、本実施形態に係る長尺服飾品用ハンガー１は、長尺な紐材を適宜複数箇所で折り返すことで、紐状部１０…同士が近接した群を複数形成するようにしている。
【００３６】
各紐状部１０…は、一対の保持部２０，２０の間隔が前記所定間隔になるように該一対の保持部２０，２０を連結している。
【００３７】
一対の保持部２０，２０のそれぞれは、紐状部１０（紐状部１０の群）を上下に複数配設すべく、上下方向に伸長して形成されている。本実施形態に係る保持部２０，２０は、それぞれ非伸縮性の紐材で構成されており、一対の保持部２０，２０（各紐材）のそれぞれと各紐状部１０…の端部とを編み込むことで各紐状部１０…と保持部２０とを連結するようにしている。
【００３８】
本実施形態においては、上述の如く、複数の紐状部１０…が長尺な紐材を複数箇所で折り返すことで形成されているため、保持部２０，２０を構成する紐材は、紐状部１０を構成するための紐材における折り返し部分に紐状部１０…の並列方向に編み込まれている。そして、このように編み込まれた紐材、すなわち、一対の保持部２０，２０は、紐状部１０…が真っ直ぐ延びた状態で、紐状部１０…間に挿通された長尺服飾品の長手方向と直交する方向（短手方向）の両端が接触できるように、紐状部１０の伸長方向（横方向）で所定間隔、すなわち、長尺服飾品Ｎの長手方向と直交する方向の幅寸法以下の間隔をあけるようになっている。本実施形態においても、この一対の保持部２０，２０の間隔は、狭くしすぎると、長尺服飾品を挿入しにくくなるので、対象となる長尺服飾品の短手方向の幅寸法の８０％〜１００％（好ましくは、８５％〜９５％）の間隔に設定される。なお、本実施形態に係る長尺服飾品用ハンガーは、第一実施形態と同様、掛ける対象となる長尺服飾品Ｎが、ネクタイＮのみである場合、ベルトのみである場合、ネクタイ及びベルトの両方である場合によって、ネクタイ、ベルト等の幅寸法を基準に一対の保持部２０，２０が適宜設定される。
【００３９】
本実施形態においては、図４（ａ）に示す如く、第一実施形態と同様に、二つ折りにしたネクタイＮを掛けることのみを対象としており、一対の保持部２０，２０の間隔は、ネクタイＮの長手方向の略中央部の幅寸法を基準にして設定されている。
【００４０】
これにより、上下で近接する何れか二つの紐状部１０…間に二つ折りにしたネクタイＮの折り返し部分を挿入すると、ネクタイＮの挿入した部分における短手方向の両端が一対の保持部２０，２０に接触するようになっている。本実施形態においては、一対の保持部２０，２０の間隔をネクタイＮの短手方向の幅よりも狭い間隔（ネクタイＮの幅の８５％〜９５％）に設定しており、ネクタイＮの両端が一対の保持部２０，２０に対して接触することで、一対の保持部２０，２０に押し広げ作用を生じさせるようにしている。
【００４１】
本実施形態に係る長尺服飾品用ハンガー１は、保持部２０，２０の長手方向の一端側の端部にクリップＣが取り付けられており、他端部においては、紐材同士の編み込みが解れるのを防止するための金具Ｓが取り付けられている。これにより、本実施形態に係る長尺服飾品用ハンガー１は、長手方向の一端側を衣類用のハンガーや別途設置されたポールＰ等に巻き掛けた上で、クリップＣを対向する紐状部１０…に挟みこむことで、ポールＰ等から垂下させた状態で取り付けることができるようになっている。
【００４２】
次に、以上の構成からなる長尺服飾品用ハンガー１の作用について説明する。上記構成の長尺服飾品用ハンガー１は、一対の保持部２０，２０の間隔がネクタイＮの幅寸法よりも狭く設定されているので、幅方向の寸法が保持部２０，２０の間隔よりも狭くなるように、ネクタイＮの二つ折りにした折り返し部分を変形させた上で紐状部１０…間にネクタイＮを挿入する。
【００４３】
そうすると、ネクタイＮの両端が一対の保持部２０，２０に接触して該保持部２０，２０に挟み込まれた状態になる。本実施形態において、一対の保持部２０，２０の間隔がネクタイＮの幅寸法よりも狭く設定されているので、ネクタイＮの両端が一対の保持部２０，２０に接触すると、その保持部２０，２０に対して押し広げ作用が生じる結果、保持部２０，２０を連結する紐状部１０…に引っ張り作用が生じる。そうすると、図４（ｂ）に示す如く、紐状部１０…が真っ直ぐ延びた状態になり、ネクタイＮが上下で隣り合う紐状部１０…に挟まれた態様となる。
【００４４】
これにより、紐状部１０…間に挿入されたネクタイＮは、紐状部１０…、及び保持部２０，２０が密接した状態で包囲される結果、ネクタイＮの長手方向への移動に対する抵抗が非常に大きくなり、ネクタイＮは滑脱することなく保持されることになる。
【００４５】
そして、上述した抵抗に勝る引っ張り力を作用させるように、ネクタイＮを長手方向に引っ張ると、ネクタイＮが紐状部１０…と保持部２０，２０と接触しつつ移動することになり、該ネクタイＮを取り外すことができる。
【００４６】
以上のように、本実施形態に係る長尺服飾品用ハンガー１によれば、紐状部１０…によって連結された一対の保持部２０，２０が、紐状部１０…間に挿通されたネクタイ（長尺服飾品）Ｎの長手方向と直交する方向の両端が接触可能に前記横方向に所定間隔をおいて配設されているので、二つの紐状部１０…間に挿入したネクタイＮを一対の保持部２０，２０で挟み込んで抵抗を大きくすることができる。これにより、ネクタイＮの脱落を防止した上で該ネクタイＮを確実に保持することができる。その一方で、紐状部１０…及び保持部２０，２０による接触抵抗を上回るようにネクタイＮを長手方向に引っ張ることで、そのネクタイＮを該長尺服飾品用ハンガー１から容易に取り外すことができる。
【００４７】
また、上下方向で隣り合う紐状部１０，１０同士が互いに近接するように各紐状部１０…を配設するようにしたので、ネクタイＮを紐状部１０，１０で挟み込んだ態様にして接触抵抗をより大きくすることができ、該ネクタイＮの脱落をより確実に防止することができる。
【００４８】
さらに、前記一対の保持部２０，２０を上下方向に伸長させるように形成し、紐状部１０…を保持部２０，２０の長手方向に複数設けるようにしたので、複数のネクタイＮを上下方向に並べて保持することができる。
【００４９】
そして、一対の保持部２０，２０のそれぞれを非伸縮性の紐材で構成し、各紐状部１０，１０の端部を編み込むことで紐状部１０を連結するようにしたので、構成が簡易であり、製造効率やコストの観点においても従来に比して非常に有利である。
【００５０】
尚、本発明の長尺服飾品用ハンガーは、上記何れの実施形態にも限定されるものではなく、本発明の要旨を逸脱しない範囲内において種々変更を加え得ることは勿論である。
【００５１】
上記第一及び第二実施形態において、上下方向で隣り合う紐状部１０…同士を近接させるようにして、その紐状部１０…間にネクタイ（長尺服飾品）Ｎを挿入して保持するようにしたが、これに限定されるものではなく、例えば、上下方向で隣り合う紐状部１０…同士を近接させることなく間隔をあけるようにしてもよい。このようにしても、紐状部１０によって連結された一対の保持部２０，２０の間隔を長尺服飾品Ｎの短手方向の両端が接触可能な間隔にすることで、紐状部１０間に挿入した長尺服飾品Ｎの両端が一対の保持部２０，２０と接触する結果、その長尺服飾品Ｎの長手方向の移動（滑脱）に対して抗することのできる抵抗を付与することができ、脱落を防止することができる。従って、第二実施形態に係る長尺服飾品用ハンガーにおいて、紐状部１０…の群の間に長尺服飾品Ｎを挿入しても、脱落を防止して該長尺服飾品Ｎを保持することができる。但し、長尺服飾品Ｎに対して大きな抵抗を付与するには、隣り合う紐状部１０…の間隔を挿入する長尺服飾品Ｎの厚み以下、好ましくは、間隔なしに（近接）して、紐状部１０…を配設するほうがよい。
【００５２】
上記第一及び第二実施形態において、一対の保持部２０，２０を紐材で構成したが、これに限定されるものではなく、紐状部１０…のみを変形可能な紐材で構成すればよい。すなわち、一対の保持部２０，２０は必ずしも変形自在に構成する必要はなく、例えば、保持部２０，２０を針金等の線材や樹脂成形品等で構成し、紐状部１０…の端部を保持部２０，２０に連結するようにしてもよい。このようにしても、紐状部１０…間に長尺服飾品Ｎを挿入すると、一対の保持部２０，２０の長尺服飾物の両側端が接触することになり、その接触による抵抗を作用させることができる。また、保持部２０，２０の間隔を広げようとする結果、変形自在な紐状部１０…が真っ直ぐに伸長し、長尺服飾品Ｎが上下から挟み込まれた態様となる。従って、上記第一及び第二実施形態と同様に、長尺服飾品Ｎが紐状部１０…と保持部２０，２０とによって略全周が拘束された状態となる結果、滑脱を防止した状態にすることができる。
【００５３】
上記第一及び第二実施形態において、紐状部１０…を複数設けるようにしたが、少なくとも紐状部１０…を二つ一組として設ければよい。このようにすれば、長尺服飾品Ｎを紐状部１０…及び保持部２０，２０で包囲して拘束した状態にすることができ、最低一つの長尺服飾品Ｎを掛けることができる。但し、一般消費者は、通常、ネクタイＮやベルト等の長尺服飾品Ｎを複数所有しているため、上記実施形態と同様に、保持部２０，２０を長尺に構成するとともに、紐状部１０…を複数設け、長尺服飾品Ｎを複数掛けられるようにすることが好ましいことは言うまでもない。
【００５４】
上記第一実施形態において、一本のゴム紐を複数箇所で折り返すことで、保持部２０，２０間で伸縮可能な紐状部１０…を上下方向に複数配列させるようにしたが、これに限定されるものではなく、例えば、保持部２０，２０に連結した状態で一対の保持部２０，２０を長尺紐状部１０…の幅寸法以下になる所定長さのゴム紐（或いは、伸縮性のある樹脂製の紐材等）を複数用意し、それの両端部を保持部２０，２０に連結させて紐状部１０…とするようにしても勿論よい。また、第二実施形態のように紐状部１０…を非伸縮性の紐材で構成する場合も同様である。但し、複数の紐材（ゴム紐）を保持部２０，２０に独立して連結すると、その連結強度等の観点で連結構造が複雑になるといった問題があるため、上記実施形態と同様にすることが好ましい。
【００５５】
上記第一実施形態において、上下方向で並列に配設される複数の紐状部１０…のそれぞれが、隣り合う紐状部１０…に対して接近（近接）するような配置になるように構成したが、これに限定されるものではなく、例えば、第二実施形態と同様に、少なくとも二つの紐状部１０を含んだ群を保持部２０，２０の長手方向に所定間隔をおいて複数配設するようにしてもよい。なお、第二実施形態において、紐状部１０…を四つ一組の群として構成し、その群を複数設けるようにしたが、紐状部１０…を少なくとも二つ一組の群で構成するようにすればよい。
【００５６】
上記第一及び第二実施形態において、長手方向の一端部にクリップＣを設け、ポールＰ等に巻き掛けた状態で取り付けられるようにしたが、これに限定されるものではなく、例えば、長手方向の一端部にフックを設けて、そのフックを介してポール等に掛止できるように構成してもよい。また、上記第一及び第二実施形態のように、複数の紐状部１０…を設ける場合には、クリップＣやフックを設けることなく一端側も他端側と同様に解れを防止する金具Ｓを取り付け、一端側又は他端側の紐状部１０…を壁等に設けられたフックに掛止させるようにしてもよい。すなわち、当該長尺服飾品用ハンガー１を梯子状に構成すれば、これ自体の端部（紐状部１０…）をフック等に掛けることが可能である。
【図面の簡単な説明】
【００５７】
【図１】本発明の第一実施形態に係る長尺服飾品用ハンガーの全体正面図を示す。
【図２】第一実施形態に係る長尺服飾品用ハンガーの使用態様を説明するための説明図であって（ａ）は、ポールに掛止させて長尺服飾品としてのネクタイを掛けた状態の正面図を示し、（ｂ）は、ネクタイを掛けた際の紐状部の力の作用状態を説明するための部分正面図を示し、（Ｃ）は、ネクタイを掛けた際の紐状部の力の作用状態を説明するための部分縦断面図を示す。
【図３】本発明の第二実施形態に係る長尺服飾品用ハンガーの全体正面図を示す。
【図４】第二実施形態に係る長尺服飾品用ハンガーの使用態様を説明するための説明図であってポールに掛止させて長尺服飾品としてのネクタイを掛けた状態の正面図を示す。
【図５】従来の長尺服飾品用ハンガーの斜視図を示す。
【図６】従来における別の長尺服飾品用ハンガーの正面図を示す。
【符号の説明】
【００５８】
１…長尺服飾品用ハンガー、１０…紐状部、２０…保持部、Ｎ…長尺服飾品（ネクタイ）
【図１】
2008099821.tif 000003
【図２】
2008099821.tif 000004
【図３】
2008099821.tif 000005
【図４】
2008099821.tif 000006
【図５】
2008099821.tif 000007
【図６】
2008099821.tif 000008